(57)【要約】靴用のトラクションプレート（１３０、１４０、３３０、４１０、４５０、４６０）。このトラクションプレートは、靴の表底（１１０、４０５）に取り外し可能に取り付けられて、靴の着用者に対して表面の静止摩擦を提供し得る。このプレートは、一方の面に、１つ以上の表面係合要素（２３０）を備える。このプレートはまた、２つ以上の靴結合要素（１５０、２４０、４２０、５２０）を備える。この靴結合要素は、靴の表底における対応するレセプタクル（３４０）に挿入され、次いで、回転されてプレートを靴に固定する。この靴結合要素は、プレートフランジを捕らえるように取り付けられ得るか、または完全な１回転以内で靴のレセプタクルに取り付けられ得る。
2008505727.tif 000002
【特許請求の範囲】
【請求項１】
使用者のための靴用の取り外し可能なトラクションプレートであって、該プレートは、
ａ．対向する第一の面と第二の面およびエッジを備えるフランジ；
ｂ．該フランジに取り付けられる複数の靴結合要素であって、少なくとも１つの靴結合要素が、３６０度以内の回転によって該靴に取り外し可能に取り付けられる、要素；ならびに
ｃ．該第二の面に取り付けられる表面係合要素
を備える、トラクションプレート。
【請求項２】
前記少なくとも１つの靴結合要素が、１８０度以内の回転によって前記靴に取り外し可能に取り付けられる、請求項１に記載のトラクションプレート。
【請求項３】
前記少なくとも１つの靴結合要素が、１２０度以内の回転によって前記靴に取り外し可能に取り付けられる、請求項１に記載のトラクションプレート。
【請求項４】
前記少なくとも１つの靴結合要素が、前記フランジを捕らえるように取り付けられる、請求項１に記載のトラクションプレート。
【請求項５】
前記少なくとも１つの靴結合要素が、前記フランジを捕らえるようには取り付けられない、請求項１に記載のトラクションプレート。
【請求項６】
前記フランジが、前記エッジから遠いベアリング部分を備え、該ベアリング部分は、前記プレートにかけられた前記使用者の体重の大部分を支持する、請求項１に記載のトラクションプレート。
【請求項７】
前記少なくとも１つの表面係合要素が、前記フランジの前記エッジから外向きに延びる、請求項１に記載のトラクションプレート。
【請求項８】
前記フランジが、フレックスラインを備える、請求項１に記載のトラクションプレート。
【請求項９】
前記フランジが、前記フレックスラインの片側で硬質である、請求項８に記載のトラクションプレート。
【請求項１０】
使用者のための靴用の取り外し可能なトラクションプレートであって、
ａ．対向する第一の面および第二の面を備えるフランジ；
ｂ．複数の靴結合要素であって、少なくとも１つの靴結合要素が、該フランジを捕らえるように取り付けられる、要素；ならびに
ｃ．該第二の面に取り付けられる少なくとも１つの表面係合要素
を備える、トラクションプレート。
【請求項１１】
前記複数の靴結合要素のうちの少なくとも１つは、前記フランジを捕らえるように取り付けられない、請求項１０に記載の取り外し可能なトラクションプレート。
【請求項１２】
少なくとも１つの表面係合要素が、前記フランジのエッジから外向きに延びる、請求項１０に記載のトラクションプレート。
【請求項１３】
使用者のための靴用の取り外し可能なトラクションプレートであって、該プレートは、
ａ．対向する第一の面および第二の面を備えるフランジ；
ｂ．靴結合要素であって、該要素は該フランジに取り外し可能に取り付けられ、該要素は、該靴の対応するレセプタクルに挿入し、該要素を３６０度以内回転させることによって該靴に取り外し可能に取り付けられる、要素；ならびに
ｃ．該第二の面に取り付けられる表面係合要素
を備える、トラクションプレート。
【請求項１４】
前記靴結合要素が、１８０度以内の回転によって前記靴に取り外し可能に取り付けられる、請求項１３に記載のトラクションプレート。
【請求項１５】
前記靴結合要素が、１２０度以内の回転によって前記靴に取り外し可能に取り付けられる、請求項１３に記載のトラクションプレート。
【請求項１６】
前記靴結合要素が、該要素を前記フランジの穴に通して挿入することによって、該フランジに取り付け可能である、請求項１３に記載のトラクションプレート。
【請求項１７】
靴の表底アセンブリであって、
ａ．表底；
ｂ．該表底に埋め込まれた複数のレセプタクルであって、各レセプタクルは、開口部および靴結合要素と係合する構造体を有する、複数のレセプタクル；
ｃ．トラクションプレートであって、該プレートは、
ｉ  対向する第一の面と第二の面とを備えるフランジ、
ｉｉ  該フランジに取り付けられた複数の靴結合要素であって、各靴結合要素が、該複数のレセプタクルのうちの１つに取り外し可能に取り付け可能であり、少なくとも１つの靴結合要素は、該複数のレセプタクルのうちの１つの挿入および３６０度以内の回転によって、該靴に取り付け可能であり、かつ該靴から取り外し可能である、複数の靴結合要素、および
ｉｉｉ  該第二の面に取り付けられる少なくとも１つの表面係合要素、
を備える、トラクションプレート、
を備える、靴の表底アセンブリ。
【請求項１８】
靴の表底アセンブリであって、
ａ．表底；
ｂ．該表底に埋め込まれた複数のレセプタクルであって、各レセプタクルは、開口部および靴結合要素と係合する構造体を有する、複数のレセプタクル；
ｃ．トラクションプレートであって、該プレートは、
ｉ  対向する第一の面と第二の面とを備えるフランジ、
ｉｉ  該フランジに取り付けられた、複数の靴結合要素であって、各靴結合要素は、該複数のレセプタクルのうちの１つに取り外し可能に取り付け可能であり、少なくとも１つの靴結合要素は、該フランジを捕らえるように取り付けられる、複数の靴結合要素、および
ｉｉｉ  該第二の面に取り付けられる少なくとも１つの表面係合要素、
を備える、トラクションプレート、
を備える、靴表底アセンブリ。
【請求項１９】
靴表底アセンブリであって、
ａ．表底；
ｂ．該表底に埋め込まれたレセプタクルであって、該レセプタクルは、開口部および靴結合要素に係合する構造体を有する、レセプタクル；
ｃ．トラクションプレートであって、該プレートは、
ｉ  対向する第一の面と第二の面とを備えるフランジ、
ｉｉ  靴結合要素であって、該要素は、該フランジに取り外し可能に取り付け可能であり、該要素は、該要素を該靴における該レセプタクル内に挿入し、そして該要素を３６０度以内回転させることによって、該靴に取り外し可能に取り付け可能である、靴結合要素、および
ｉｉｉ  該第二の面に取り付けられる少なくとも１つの表面係合要素、
を備える、トラクションプレート、
を備える、靴の表底アセンブリ。
【請求項２０】
前記トラクションプレートの前記フランジが、前記表底と実質的に同一面にある、請求項１７〜１９のいずれか１項に記載の靴の表底アセンブリ。
【請求項２１】
前記プレートの前記フランジが、前記靴の前記表底に少なくとも部分的に挿入される、請求項１７〜１９のいずれか１項に記載の靴の表底アセンブリ。
【請求項２２】
少なくとも１つの滑り止めをさらに備える、請求項１７〜１９のいずれか１項に記載の靴の表底アセンブリであって、該滑り止めは、靴結合要素および少なくとも１つの表面係合要素を備え、該滑り止めは、該表底に取り外し可能に取り付けられる、靴の表底アセンブリ。
【請求項２３】
ｄ．該表底に取り外し不可能に取り付けられる、少なくとも１つの表面係合要素
をさらに備える、請求項１７〜１９のいずれか１項に記載の靴の表底アセンブリ。
【請求項２４】
前記トラクションプレートが、前記靴の表底のつま先の領域に取り付けられる、請求項１７〜１９のいずれか１項に記載の靴の表底アセンブリ。
【請求項２５】
前記トラクションプレートが、前記靴の表底の踵の領域に取り付けられる、請求項１７〜１９のいずれか１項に記載の靴の表底アセンブリ。
【請求項２６】
前記トラクションプレートが、前記靴の表底の中底の領域に取り付けられる、請求項１７〜１９のいずれか１項に記載の靴の表底アセンブリ。
【請求項２７】
トラクションプレートを靴に取り付けるための方法であって、該方法は、
ａ．複数のレセプタクルおよび１つのトラクションプレートを備える、靴の表底を提供する工程であって、該トラクションプレートは、複数の靴結合要素を備え、該靴結合要素のうちの少なくとも１つは、該プレートを捕らえるように取り付けられる、工程；
ｂ．各靴結合要素を、該複数のレセプタクルに１つずつ挿入する工程；ならびに
ｃ．各靴結合要素を回転させて、該プレートを該表底に固定する工程、
を包含する、方法。
【請求項２８】
各靴結合要素を回転させる工程が、少なくとも１つの要素を３６０度以内回転させる工程を包含する、請求項２７に記載の方法。
【請求項２９】
各靴結合要素を回転させる工程が、少なくとも１つの要素を２７０度以内回転させる工程を包含する、請求項２７に記載の方法。
【請求項３０】
各靴結合要素を回転させる工程が、少なくとも１つの要素を１８０度以内回転させる工程を包含する、請求項２７に記載の方法。
【請求項３１】
各靴結合要素を回転させる工程が、少なくとも１つの要素を１２０度以内回転させる工程を包含する、請求項２７に記載の方法。
【請求項３２】
前記靴の表底が、最初に複数の設置された滑り止めを備え、前記方法が、前記プレートによって覆われるべき該表底の領域に設置された各滑り止めを最初に取り外す工程をさらに包含する、請求項２７に記載の方法。
【請求項３３】
トラクションプレートを靴に取り付けるための方法であって、該方法は、
複数のレセプタクルおよび１つのトラクションプレートを備える靴の表底を提供する工程であって、該トラクションプレートは、フランジに取り付けられた複数の靴結合要素を備え、少なくとも１つの靴結合要素は、該複数のレセプタクルのうちの１つに挿入すること、および３６０度以内回転させることによって、該靴に取り付け可能であり、かつ該靴から取り外し可能であり、各靴結合要素は、該複数のレセプタクルのうちの１つに取り外し可能に取り付け可能である、工程；
各靴結合要素を、該複数のレセプタクルのうちの１つに挿入する工程；ならびに
各靴結合要素を回転させて、該プレートを該靴に固定する工程、
を包含する、方法。
【請求項３４】
各靴結合要素を回転させる工程が、少なくとも１つの要素を２７０度以内回転させる工程を包含する、請求項３２に記載の方法。
【請求項３５】
各靴結合要素を回転させる工程が、少なくとも１つの要素を１８０度以内回転させる工程を包含する、請求項３２に記載の方法。
【請求項３６】
各靴結合要素を回転させる工程が、少なくとも１つの要素を１２０度以内回転させる工程を包含する、請求項３２に記載の方法。
【請求項３７】
前記靴の表底が、複数の設置された滑り止めを最初に備え、前記方法が、前記プレートによって覆われるべき該表底の領域に設置された各滑り止めを最初に取り外す工程をさらに包含する、請求項２７に記載の方法。
【請求項３８】
磨耗指標をさらに備える、請求項１に記載の靴のためのトラクションプレート。
【発明の詳細な説明】
【技術分野】
【０００１】
本発明は、履物（特に、運動靴）の底に取り付けられたトラクションギアに関する。
【背景技術】
【０００２】
（背景）
履物用の従来のトラクションギアは、靴の表底に取り付けられた多数の個別のトラクション要素（例えば、滑り止め）を使用する。代表的なゴルフシューズは、例えば、その靴に個別に取り付けられた７つの滑り止めを備え、その取付けは、その履物の底にある嵌合した受容レセプタクル中にその滑り止めをネジ止めすることによる。近年、トラクション要素を履物に取り付け・取り外しするために必要な努力を低減することにおいて、進展が生じた。この低減は、各トラクション要素を取り付けるために必要な回転を低減することによった。例えば、特許文献１は、簡易脱着式Ｑ−ＬＯＫＴＭトラクション要素コネクタを記載する。レセプタクル中に挿入された場合、Ｑ−ＬＯＫＴＭトラクションコネクタは、滑り止めを１回転の約３分の１回転することによって、表底にしっかりと取り付けられ得る。
【０００３】
履物トラクションに対するそのようなアプローチは、単一の閉合（ｃｌｏｓｕｒｅ）によって有効に靴に固定され得るよりも大きな取り外し可能なトラクション構造を提供しない。さらに、これらのアプローチは、靴の表底に対してそのトラクション要素の自由な回転方向を許容しない。
【特許文献１】米国特許第５，７６８，８０９号明細書
【発明の開示】
【課題を解決するための手段】
【０００４】
（発明の要旨）
本発明の種々の実施形態において、靴に対して取り外し可能に取り付け可能なトラクションプレートが、提供される。そのトラクションプレートは、１つ以上のトラクション要素（表面係合要素としても公知である）が取り付けられたフランジを備えて、靴着用者に表面上での静止摩擦を提供する。そのプレートはまた、そのプレートを靴に取り付けるための１つ以上の靴結合要素を備える。その靴結合要素は、靴の表底中にある対応するレセプタクル中に挿入され、そしてそのプレートを靴に取り付けるように回転される。そのプレートを靴から取り外すために、その靴結合要素は、反対方向に回転され、その後、そのレセプタクルから取り外される。
【０００５】
本発明の一実施形態において、そのプレートのための複数の靴結合要素は、３６０度以下の回転によって靴中の対応するレセプタクルに対して取り付け可能な要素のうちの少なくとも１つを備える。本発明の他の実施形態において、それらの要素のうちの少なくとも１つは、２７０度以下、１８０度以下、または１２０度以下の回転によって対応するレセプタクルにそれぞれ取付け可能である。本発明のさらなる具体的な実施形態において、そのプレートフランジは、そのフランジのエッジから離れて重量ベアリング部分を備え、その結果、その重量ベアリング部分は、そのプレートにかけられた靴着用者の体重の大部分を支える。
【０００６】
本発明の別の実施形態において、そのプレートの複数の靴結合要素は、そのプレートのフランジに捕らえるように取り付けられた要素のうちの少なくとも１つを備える。
【０００７】
本発明の別の実施形態において、そのフランジに取り外し可能に取付け可能な靴結合要素が、提供される。その靴結合要素は、３６０度以下の回転によって靴中にある対応するレセプタクルに取付け可能である。本発明の他の実施形態において、その要素は、２７０度以下、１８０度以下、または１２０度以下の回転によって対応するレセプタクルにそれぞれ取付け可能である。この配置は、有利なことに、トラクションプレートおよび靴結合要素が独立して回転することを可能にし、その結果、表底に対するトラクションプレートの望ましい回転が達成され得るようになる。
【０００８】
上記の実施形態のうちのいずれかの表面係合要素は、任意の数、形状、組成、および方向であり得る。上記の実施形態のうちのいずれかに従うトラクションプレートは、靴の表底において任意の組み合わせで使用され得る。そのトラクションプレートは、任意の組み合わせで靴の表底上で従来の滑り止めと組み合わされ得る。
【０００９】
本発明の別の実施形態において、靴の表底に取り付けられた滑り止めをトラクションプレートで置換するための方法が、提供される。その方法は、表底にある対応するレセプタクルから複数の滑り止めを取り外す工程（そのレセプタクルにおいて、トラクションプレートが滑り止めを覆う）；トラクションプレートに、その複数の対応するレセプタクルと一致するように配置された靴結合要素を提供する工程；その靴結合要素を対応するレセプタクル中に挿入する工程；およびその靴結合要素を回転してトラクションプレートを靴の表底に固定する工程；を包含する。
【発明を実施するための最良の形態】
【００１０】
本発明の前述の特徴は、添付の図面を参照しながら、以下の詳細な説明を参照することによってより容易に理解される。
【００１１】
（具体的な実施形態の詳細な説明）
（定義）
本明細書中および添付の特許請求の範囲において使用される場合、文脈がそうでないことを必要としない限り、以下の用語は、示される意味を有する\。
【００１２】
「靴」とは、足のための任意の外装を意味し、運動用の履物、サンダル、ブーツおよびスリッパが挙げられるが、これらに限定されない。
【００１３】
「フランジ」とは、任意のほぼ平面の物体を意味する。フランジは、固形であってもよいし、ウェブ様であってもよいし、固形またはウェブ様の部分の任意の組み合わせであってもよい。フランジは、凹面部分または凸面部分あるいは凹面部分と凸面部分との組み合わせを含む、任意の平面幾何学を備える。
【００１４】
「表面係合要素」は、表面に接触した場合に静止摩擦を提供する、任意の物理的構成である。表面係合要素は、米国特許第Ｄ３２０８８２号、同第Ｄ４５４２４８号、同第４６８８９５号、同第４９３２７６号、同第６０２３８６０号、同第６０４１５２６号、同第６０５２９２３号、同第６３２７７９７号、同第６３５４０２１号、同第６４６３６８２号、同第６５３０１６２号および同第６８３４４４５号（これらの各々が、本明細書中に参考として援用される）に教示される任意の突起または突起の組み合わせを含む、上記目的のための当該分野で公知の任意の突起を含み得るが、そられに限定されない。表面係合要素は、任意の適した材料から作製され得、この材料としては、プラスチック、金属、ゴムなどが挙げられるが、それらに限定されない。表面係合要素はまた、１種より多い材料または１種より多い材料種類からも作製され得、これらの要素は、色および硬度において異なり得る。
【００１５】
本発明の種々の実施形態において、靴に取り外し可能に取り付けられるトラクションプレートが提供される。このトラクションプレートは、１つ以上の表面係合要素を有するフランジを備え、表面上で靴の着用者に対する静止摩擦を提供する。このプレートはまた、１つ以上の靴結合要素を備える。この靴結合要素は、靴の表底における対応するレセプタクル内に挿入され、回転されてそのプレートを靴に取り付ける。本発明の具体的な実施形態において、複数の靴結合要素がそのプレートに対して提供され、そして少なくとも１つの靴結合要素が表底に埋め込まれたレセプタクルへの挿入および３６０度以下の回転によって表底に取り付けられる。本発明の別の実施形態においては、複数の靴結合要素がそのプレートに対して提供され、少なくとも１つの靴結合要素がフランジを捕らえるように（ｃａｐｔｉｖｅｌｙ）取り付けられる。
【００１６】
図１は、本発明の実施形態に従う靴（一般に１００と表示される）の底面を示す。この靴は、表底１１０を備え、この表底に多数の靴結合要素レセプタクル１２０が埋め込まれる。トラクションプレート１３０、１４０は、そのプレートに取り付けられた靴結合要素１５０によって、表底に取り付けられ得る。これらの要素の底部は、表底１１０に埋め込まれた、適切に配置されたレセプタクル内に挿入され、回転される。各プレートは、１つ以上の表面係合要素を備え、これらは１つ以上の要素が表面と接触する場合に使用者に対して静止摩擦を提供する。
【００１７】
図２Ａは、本発明に従うトラクションプレート２００の実施形態を示す。このプレートは、２つの対向する面（一方の面は２１０で示される）およびエッジ２２０を有するフランジを備える。２１０で示される面は、種々の長さ、型および方向の表面係合要素２３０を備える。靴結合要素の頂部部分２４０もまた示される。靴結合要素の頂部は、ねじ回しブレードを受容するためのスロットを備える（示さず）。このねじ回しブレードは、回転されるときに、上記靴結合要素を回転させる。靴結合要素の底面部分（示さず）が靴の表底における対応するレセプタクル内に挿入されてその要素が回転されるときに、この靴結合要素はフランジを靴の表底に固定する。靴結合要素の頂部は、ツールを受容するための任意の適した欠刻パターン（例えば、ＰｈｉｌｌｉｐｓヘッドパターンまたはＴｏｒｘスクリューパターン）を有し得るか、あるいはヒトの指が回転させるのに適した頂部構造を有し得る。
【００１８】
図２Ｂは、図２Ａのトラクションプレート２００の側面図である。靴結合要素の靴取り付け構造２５０が示される。靴結合要素２４０は、上記トラクションプレートのフランジに捕らえるように取り付けられ得る。本発明の代替的な実施形態において、トラクションプレートが靴に対して押された場合に、上記トラクションプレートが捕らえる形式ではない（ｎｏｎ−ｃａｐｔｉｖｅ）靴結合要素がフランジに結合され得、そしてフランジから取り外され得る。靴結合要素のヘッドは、例えば、フランジにおける孔よりも大きく成形され得る。したがって、この要素がフランジを通ってレセプタクルに挿入され、回転される場合に、この要素はそのフランジをしっかりと捕らえ得る。本発明のさらなる実施形態において、トラクションプレートは、捕らえるように取り付けられた靴結合要素と捕らえる形式ではなく取り付けられた靴結合要素とが混在したものを備え得る。靴結合要素の取り付け構造は、靴の表底における対応するレセプタクルと嵌合するのに適した任意の形状であり得る。この取り付け構造は、Ｑ−ＬＯＫＴＭシステム（米国特許第５，７６８，８０９号、同第６，１５１，８０５号、同第６，１０８，９４４号および同第６，４６３，６１８号において記載されるようなもの）、Ｆａｓｔ  ＴｗｉｓｔＴＭシステム（米国特許第５，１２３，１８４号、同第５，５２４，３６７号、同第５，９７４，７００号、および同第６，２７２，７７４号に記載されるようなもの）、糸模様（ｔｈｒｅａｄｅｄ）の構造、またはレセプタクルに回転可能に取り付けられ得る任意の他の構造に対して適合し得る。上述の特許はそれぞれ、本明細書中に参考として援用される。本発明の好ましい実施形態において、３６０度以下の回転で、挿入後にレセプタクルに取り付けられる、靴結合要素取り付け構造が使用される。他の実施形態において、それぞれ２７０度以下、１８０度以下、および１２０度以下の回転が、靴結合要素のレセプタクルへの挿入後に、各靴結合要素を靴のソールへ（そしてトラクションプレートを表底へ）取り付けるのに必要とされる。本発明の他の好ましい実施形態において、異なる型の靴結合要素が単一のトラクションプレートに使用され得る。本発明の任意の種々の実施形態において、同じ靴の表底に取り付けられたトラクションプレートは、同一であってもよいし、あるいは靴結合要素の数、型および配置が異なっていても、表面係合要素の数、型および方向が異なっていてもよい。同様に、トラクションプレートフランジ、靴結合要素または表面係合要素用に使用される材料は、履物の滑り止めに適した任意の材料（例えば、プラスチック、金属、ゴムなどであるが、これらに限定されない）であり得る。トラクションプレートの種々の部分は、１種より多い材料から作製されてもよいし、１種より多い材料種類から作製されてもよく、これらの部分は色および硬度が異なり得る。図２Ｃは、トラクションプレートの斜視図を示す。
【００１９】
図３は、本発明の別の好ましい実施形態を示す。靴３００は、その靴の一方の端から他方の端へ延びてその靴のつま先領域のほとんどを覆っているトラクションプレート３３０を備える。この靴はまた、レセプタクル３４０を備える。このレセプタクル３４０に、従来の靴の滑り止め３５０のような他のトラクションデバイスが取り付けられ得る。この靴は、靴の着用者が歩く際にフレックスラインに沿って屈曲することができる。トラクションプレートが完全にそのフレックスラインの一方の側にある場合は、トラクションプレートは実質的に強固である。あるいは、トラクションプレートは、そのフレックスラインをまたぐような構造であり得る。トラクションプレートは、有利には、フレックスラインに沿って屈曲性であり得、それ以外は強固であり得る。本発明の種々の実施形態において、上述の実施形態のいずれかに記載されたトラクションプレートは同じ靴の表底において使用され得、靴の滑り止めが滑り止めレセプタクルに取り付けられる。図３Ｂは、図３Ａに図示される本発明の実施形態の側面図を示す。
【００２０】
図４は、本発明のさらなる実施形態に従う靴４００のためのトラクションシステムを示す。靴は、種々の取り外し可能に取り付けられたトラクションプレート４１０、４５０、４６０を有する表底４０５を備える。各トラクションプレートは、トラクションプレートフランジ４３０に取り外し可能に取り付けられた単一の靴結合要素４２０を備える。フランジ４３０もまた、少なくとも１つの表面係合要素４４０を備える。トラクションプレートは、示されるように多方向性であるか、または一方向性である。トラクションプレート４１０、４５０、４６０を靴に取り付けるために、靴結合要素４２０が、フランジにおける開口部を通して、表底における対応するレセプタクル（示さず）内に挿入され得る。この靴結合要素は、トラクションプレートフランジを捕らえるような形状である。トラクションプレート４１０は、正しい方向で靴の表底に配置され、次いで靴結合要素４２０が回転されて、そのプレートを靴に固定する。この取り付け手順は、靴結合要素およびフランジが互いに対して回転し得るので、靴の表底に対して、トラクションプレートについての所望の方向が達成されることを有利に確実にし得る。
【００２１】
図５Ａおよび図５Ｂは、図４および図１に示される本発明の実施形態において使用され得る靴結合要素４２０を示す。靴結合要素は、ヘッド５１０を一端において有する。このヘッドは、溝のついたツール（例えば、ねじ回し）を受容するための溝５１５を備える。次いでこのツールは回転されて、その要素を、対応する靴のレセプタクルに取り付ける。この要素のヘッド５１０は、対応するフランジにおける孔よりも大きい直径５２５を有し、このことによって、その要素がその孔を通して挿入された後に、結合要素５００がフランジを捕獲するおとを可能にする。ヘッド５１０に対して遠位である靴結合要素５２０の端部は、レセプタクル結合構造５２０を備える。このレセプタクル結合構造５２０は、挿入および３６０度未満の回転の後に、靴における対応するレセプタクルに取り付けられ得る。本発明の他の実施形態において、靴結合要素のヘッドは、ツールを受容するのに適した任意の欠刻パターンを備え得るか、または手動での回転のために適した構造を備え得る。挿入および２７０度以下、１８０度以下または１２０度以下の回転の後に靴レセプタクルに取り付けられる他の型の靴結合要素が使用され得る。
【００２２】
本発明のさらなる実施形態において、靴における滑り止めをトラクションプレートと置換するための方法が提供される。トラクションプレートは、複数の靴結合要素を備える。この滑り止めは、プレートでカバーされる靴の表底に埋め込まれた一組のレセプタクルから取り外される。靴結合要素はレセプタクルに挿入され、次いで回転されてトラクションプレートを靴に取り付ける。類似の様式において、このトラクションプレートは、逆方向に靴結合要素を回転させて、その要素をレセプタクルから取り除くことによって、そのトラクションプレートは靴から取り除かれ得る。次いで滑り止めが、所望の場合は靴に再導入され得るか、または他のトラクションプレートが導入され得る。
【００２３】
本発明の別の実施形態において、着用の表示が、本発明の上述の任意の実施形態について、フランジの表面係合側面上のトラクションバーに組み込まれ得る。この着用表示は、例えば、米国特許第５，９９６，２６０号（これは、本明細書中に参考として援用される）に記載される着用表示に類似して構築され得る。
【００２４】
好ましい実施形態が説明されたが、ここで、トラクションプレートは、記載されたコネクタおよびレセプタクルを使用して、靴に取り外し可能に取り付けられる。そのようなコネクタおよびレセプタクルの使用は、トラクションプレートを靴に取り付けることには限定されないが、別のものへの機械的構造体の取り付けを必要とする他の用途における、取り外し可能に取り付けられたコネクタシステムを一般的に使用する。同様に、本発明が上述の詳細な説明に限定されないことは、もちろん明白である。記載されたような本発明の種々の変化および修正は、添付の特許請求の範囲において規定される本発明の趣旨および範囲から逸脱することなく、当業者には明白である。
【図面の簡単な説明】
【００２５】
【図１】図１は、本発明の実施形態に従うトラクションシステムを示す。
【図２】図２Ａは、本発明の実施形態に従うトラクションプレートを示す。図２Ｂは、図２Ａのトラクションプレートの側面図を示す。図２Ｃは、図２Ａのトラクションプレートの斜視図を示す。
【図３Ａ】図３Ａは、本発明の実施形態に従う靴のための代替的なトラクションシステムを示す。
【図３Ｂ】図３Ｂは、図３Ａに示されるトラクションシステムの側面図を示す。
【図４】図４Ａは、本発明の実施形態に従うさらなるトラクションシステムを示す。図４Ｂは、図４Ａに示されるトラクションシステムの側面図である。
【図５】図５Ａおよび図５Ｂは、図４Ａおよび図４Ｂのトラクションシステムにおいて使用され得る靴結合要素を示す。
【図１】
2008505727.tif 000003
【図２Ａ】
2008505727.tif 000004
【図２Ｂ】
2008505727.tif 000005
【図２Ｃ】
2008505727.tif 000006
【図３Ａ】
2008505727.tif 000007
【図３Ｂ】
2008505727.tif 000008
【図４Ａ】
2008505727.tif 000009
【図４Ｂ】
2008505727.tif 000010
【図５Ａ】
2008505727.tif 000011
【図５Ｂ】
2008505727.tif 000012
【国際調査報告】
2008505727.tif 000013
2008505727.tif 000014
2008505727.tif 000015
2008505727.tif 000016
2008505727.tif 000017